(57)【要約】【課題】吊り下げ棒に吊り下げ用パッケージを垂下させても吊り下げ用パッケージの天板の左右縁と左右側板の上縁との間に隙間が生じない吊り下げ用パッケージを得ることを目的とするものである。【解決手段】６面からなる立方体状に形成された天板６２の略中央部に吊り下げ孔６７を設け、この吊り下げ孔６７に吊り下げ棒６１を挿通したパッケージ１０において、天板６２の左右にフラップ２Ｌ、２Ｒを設け、このフラップ２Ｌ、２Ｒに設けた挿入片４Ｌ、４Ｒを立方体状の左右側面板５０Ｌ、５０Ｒに設けた溝孔５Ｌ、５Ｒに挿通させるように成したものである。【選択図】        図１
2005153896.tif 000002
【特許請求の範囲】
【請求項１】
６面からなる略立方体状に形成された天板の略中央部に吊り下げ孔を設け、該吊り下げ孔に吊り下げ片を挿通したパッケージにおいて、
上記パッケージ内に商品を挿入したとき、上記天板の少なくとも１辺と接する上記立方体状パッケージの側面上部との間に空隙を生じないように成したことを特徴とする吊り下げ用パッケージ。
【請求項２】
６面からなる略立方体状に形成された天板の略中央部に吊り下げ孔を設け、該吊り下げ孔に吊り下げ片を挿通したパッケージにおいて、
上記天板の左右にフラップを設け、該フラップに設けた挿入片を上記立方体状の左右側面板に設けた溝孔に挿通させたことを特徴とする吊り下げ用パッケージ。
【請求項３】
上記天板の左右に設けたフラップに折り返しの罫線を設けて、折り曲げ可能と成したことを特徴とする請求項２記載の吊り下げ用パッケージ。
【請求項４】
上記吊り下げ用パッケージを透明合成樹脂で形成してなることを特徴とする請求項１乃至請求項３記載のいずれか１項記載の吊り下げ用パッケージ。
【請求項５】
上記フラップの形状を舌片状となした舌片状部の先端に略楕円状の上記挿入片を設けてなることを特徴とする請求項２乃至請求項４記載のいずれか１項記載の吊り下げ用パッケージ。
【請求項６】
上記天板の後側にフラップを設け、該フラップに設けた挿入片を上記立方体状の後面板に設けた溝孔に挿通させたことを特徴とする請求項２乃至請求項５記載のずれか１項記載の吊り下げ用パッケージ。
【発明の詳細な説明】
【技術分野】
【０００１】
本発明は、各種電子部品等をパッケージ内に装着し、内挿部品が見える様に透明なパッケージを吊り下げ展示販売するように成した吊り下げ用パッケージに係わり、特に、内挿部品を吊り下げた時に生ずる吊り下げ用パッケージの天板の変形を防止可能な吊り下げ用パッケージに関する。
【背景技術】
【０００２】
従来、例えば、合成樹脂等で作成した透明な吊り下げ用パッケージに内挿部品を挿入して内挿部品が見える様に透明なパッケージを吊り下げ展示販売するように成した吊り下げ用パッケージは良く知られている。
【０００３】
図４は従来から広く利用されている吊り下げ用パッケージの要部構成を示す斜視図であり、図５は吊り下げ用パッケージの展開図を示すものである。図４に於いて、１０は全体として吊り下げ用パッケージを示し、透明な熱可塑性合成樹脂のＰＰ（ポリプロピレン）、ＰＥＴ（ポリエチレンテレフタタレート）等から成る厚み０、３ｍｍ程度のシートを図５に示す様に切断形成したものを組み立てて、略６面からな立方体状或いは直方体状に形成したものである。
【０００４】
図５は、従来のＰＰから成る吊り下げ用パッケージシート５０の型抜状態を示す展開図であり、図５に於いて、５０Ｂ、５０Ｌ，５０Ｆ、５０Ｒは略長方形状に形成した夫々後面板、左側板、前面板、右側板を示すもので、右側板５０Ｒには糊代５１が形成されている。
【０００５】
後面板５０Ｂの下側には舌片状の後部係止部５２を後面板５０Ｂと一体に形成し、また、前面板５０Ｆの下側には舌片状の後部係止部５２が係止される切溝が形成された凹状の前部係止部５３を前面板５０Ｆと一体に形成する。左側板５０Ｌ，右側板５０Ｒには略Ｒ字状に形成した左係止片５４および右係止片５５を前部係止部５３に対して左右対称になる様に夫々左側板５０Ｌおよび右側板５０Ｒと一体に形成する。これら後部係止部５２、前部係止部５３、左係止片５４、右係止片５５を互いに組み立てて、底面板５０Ｔが形成される。
【０００６】
後面板５０Ｂの上側には下側天板５６を形成する直方形状の第１の半体５６Ａを後面板５０Ｂと同一幅で形成する。この第１の半体５６Ａより幅狭で且つ、一体に直方形状の第１の吊り下げ部５７Ａおよび第２の吊り下げ部５７Ｂを折り曲げ線５９を介し折り曲げ可能に形成すると共に第１の半体５６Ａと同一幅の第２の半体５６Ｂを第２の吊り下げ部５７Ｂと一体に形成し、第２の半体５６Ｂには前面板５０Ｆの上縁と接する折り込み部５８を第２の半体５６Ｂと一体に形成する。また、第１の吊り下げ部５６Ａおよび第２の吊り下げ部５６Ｂの折り曲げ線５９を中心に左右対称に吊り下げ棒６１が挿入可能な略小判状の吊り下げ孔６０を夫々に形成する。これら第１の半体５６Ａ、第２の半体５６Ｂで下側天板５６が形成され、第１の吊り下げ部５７Ａおよび第２の吊り下げ部５７Ｂにより吊り下げ片５７が形成される。
【０００７】
前面板５０Ｆの上側には、この前面板５０Ｆと同一幅の略長方形状の上側天板６２を形成すると共に後面板５０Ｂと第１の半体５７Ａとの折り曲げ線上に形成した切溝６４に差し込まれる舌片状の折り込み片６３を上側天板６２の上辺に一体形成する。また、上側天板６２の略中央に第１および第２の半体５６Ａ、５６Ｂの幅より長い小判状の切り込み孔６７が形成されている。
【０００８】
さらに、左側板５０Ｌ，右側板５０Ｒの上部には略Ｐ字状の左上係止片６５および右上係止片６６を一体に形成する。なお、図５に於いて、破線で示す部分は折り曲げ用のミシン目が施されている。上述の如き吊り下げパッケージは特許文献１に開示されている。
【特許文献１】特開平９−３２８１６３号公報
【発明の開示】
【発明が解決しようとする課題】
【０００９】
上述のように形成した吊り下げ用パッケージシート５０を組み立てた状態の要部側面図を図４に示す、このように組み立てられた吊り下げ用パッケージ１０の中に電子部品等を挿入し、吊り下げ棒６１の長手方向に吊り下げ用パッケージ１０を並設した場合、内部に挿入する商品の荷重によって吊り下げ用パッケージ５０は矢印Ａで示す様に下側に向く荷重のために左右側板５０Ｌ、５０Ｒ、の上縁(図５に示すミシン目部分)７０Ｌ、７０Ｒと天板６２の切りっ放しにされた左右側縁７１Ｌ、７１Ｒ間に隙間Ｇを生じ上側天板(蓋)がドーム状に変形しまうため展示している状態がだらしなくみえて商品性を著しく落とす課題を有していた。
【００１０】
また、吊り下げ用パッケージシートは上述のように透明にするため０、３ｍｍ厚程度のＰＰ等は薄手で剛性が無いため立方体状に組み立てた状態で左右、前後、上下の６面方向に膨らみや変形を生じやすい課題を有していた。
【００１１】
本発明は叙上の課題を除去するためになされたもので、発明が解決しようとする課題は
パッケージ内に商品を挿入したとき、天板の少なくとも１辺と接する立方体状パッケージの側面上部との間に空隙を生じないように成したもので、吊り下げ棒に吊り下げ用パッケージを垂下させても吊り下げ用パッケージの天板の左右縁と左右側板の上縁との間に隙間が生じない吊り下げ用パッケージを得ることを目的とするものである。
【課題を解決するための手段】
【００１２】
本発明の吊り下げ用パッケージは、パッケージ内に商品を挿入しても略立方体状に形成した吊り下げ天板が変形しない吊り下げ用パッケージを得るように成したものである。
【００１３】
本発明の吊り下げ用パッケージは、６面からなる立方体状に形成された天板の略中央部に吊り下げ孔を設け、この吊り下げ孔に吊り下げ片を挿通したパッケージにおいて、天板の左右にフラップを設け、このフラップに設けた挿入片を立方体状の左右側面板に設けた溝孔に挿通させるように成したものである。
【発明の効果】
【００１４】
本発明の吊り下げ用パッケージによると、薄手の透明合性樹種シートを用いて大きな、或いは比較的重い商品を吊り下げ用パッケージ内に挿入してもパッケージの外側方向へ膨出することなく、また吊り下げ棒に吊り下げ用パッケージを垂下させても天板と左右側板の縁がアーチ状に変形しないものが得られる。
【発明を実施するための最良の形態】
【００１５】
以下、本発明の１形態例を図１乃至図３を用いて詳記する。図１は、本発明の吊り下げ用パッケージの１形態例の全体的構成を示す斜視図、図２（Ａ）乃至（Ｄ）は、本発明の吊り下げ用パッケージの１形態例を示す要部の組み立て状態を示す斜視図、図３は、本発明の吊り下げ用パッケージの展開図を示すものである。
【００１６】
図１乃至図３において、図４および図５との対応部分には同一符号を付して説明する。図１及び図２を説明するに、さきだち図３の展開図によって、本発明の吊り下げ用パッケージシート５０の型抜き状態を説明する。
【００１７】
図３に於いて、５０Ｂ、５０Ｌ，５０Ｆ、５０Ｒは透明な０、３ｍｍ厚程度の熱可塑性合成樹脂のＰＰまたはＰＥＴ等を略長方形状または立方形状(本発明では長方形状を含めて立方形状と定義する)に形成した夫々後面板、左側板、前面板、右側板を示すもので、右側板５０Ｒには糊代５１が形成されている。
【００１８】
後面板５０Ｂの下側には舌片状の後部係止部５２を後面板５０Ｂと一体に形成する。この後部係止部５２の先端部は略矩形状となされ、前面板５０Ｆの下側には舌片状の後部係止部５２の矩形状部分が係止される切溝の形成された凹状の前部係止部５３を前面板５０Ｆと一体に形成する。略矩形状に形成した左側板５０Ｌ，右側板５０Ｒの上部には後述する左右フラップ２Ｌ、２Ｒの略舌片状の左右舌片状部３Ｌ、３Ｒの先端部の左右挿入部(半円部分)４Ｌ、４Ｒが挿入される２個の切溝５Ｌ、５Ｒが形成されている。また、全体の形状が略Ｒ字状に形成された左上係止片５４および右係止片５５を前部係止部５３に対して左右対称に夫々左側板５０Ｌおよび右側板５０Ｒと一体に形成する。これら後部係止部５２、前部係止部５３、左係止片５４、右係止片５５を互いに組み立てて、底面板５０Ｔが形成される。
【００１９】
後面板５０Ｂの上側には下側天板５６を形成する直方形状の第１の半体５６Ａを後面板５０Ａと同一幅で形成する。この第１の半体５６Ａより幅狭で且つ、一体に直方形状の第１の吊り下げ部５７Ａおよび第２の吊り下げ部５７Ｂを折り曲げ線５９を介し折り曲げ可能に形成すると共に第１の半体５６Ａと同一幅の第２の半体５６Ｂを第２の吊り下げ部５７Ｂと一体に形成し、第２の半体５６Ｂには前面板５０Ｆの上縁と接する折り込み部５８を第２の半体５６Ｂと一体に形成する。また、第１の吊り下げ部５６Ａおよび第２の吊り下げ部５６Ｂの折り曲げ線５９を中心に左右対称に吊り下げ棒６１（図４参照）を挿入可能な略小判状の吊り下げ孔６０を夫々に形成する。これら第１の半体５６Ａ、第２の半体５６Ｂで下側天板５６が形成され、第１の吊り下げ部５７Ａおよび第２の吊り下げ部５７Ｂにより吊り下げ片５７が形成される。
【００２０】
前面板５０Ｆの上側には、この前面板５０Ｆと同一幅の略長方形状の上側天板６２を形成すると共に後面板５０Ｂと第１の半体５７Ａとの折り曲げ線上に形成した切溝６４に差し込まれる舌片状の折り込み片６３を上側天板６２の上辺（後面板側）の略中央位置に一体形成すると共に上側天板６２の左右縁７１Ｌ、７１Ｒに折り返しの罫線（ミシン目）１Ｌ、１Ｒを形成し、図３の紙面方向に折り曲げ可能と成した左右フラップ２Ｌ、２Ｒを形成する。これらの左右フラップ２Ｌ、２Ｒはその形状を略舌片状となした左右舌片状部３Ｌ、３Ｒの先端に左右舌片状部３Ｌ、３Ｒの先端より幅広の略楕円状の左右側挿入片４Ｌ、４Ｒを一体に設ける。左右側挿入片４Ｌ、４Ｒの先端部(半円部分)は組み立て時に左右側板５０Ｌ、５０Ｒに夫々形成した２個の切溝５Ｌ、５Ｒ内に挿入される。また、上側天板６２の略中央に第１および第２の吊り下げ部５７Ａ、５７Ｂの幅より長い小判状の切り込み孔６７が形成されている。
【００２１】
さらに、左側板５０Ｌ，右側板５０Ｒの上部には略Ｐ字状の左上係止片６５および右上係止片６６を一体に形成する。なお、図３に於いて、破線で示す部分は折り曲げ用のミシン目が施されて紙面方向に折り曲げ可能となされている。
【００２２】
上述の吊り下げ用パッケージシート５０を用いて、吊り下げ用パッケージ１０を形成する方法を以下に図１および図２（Ａ）乃至（Ｄ）を用いて説明する。
【００２３】
図１に示す様に、後面板５０Ｂ、左側板５０Ｌ、前面板５０Ｆ、右側板５０Ｒをミシン目に沿って箱型に折り曲げ糊代５１を後面板の解放端に接合させて開口部の断面を矩形状に形成する。また、後部係止部５２および前部係止部５３を矩形状の箱内方向に折り曲げた後に後部係止部５２の矩形状部を前部係止部５３の切溝とされた凹状内に挿入係止させると共に左係止片５４、右係止片５５を同じく矩形状の箱内方向に折り曲げた後に左係止片５４、右係止片５５の半円状の突部を前部係止部５３の凹状内の切溝に挿入係止させて互いに組み立てて、底面板５０Ｔを形成する。図１のＢ近傍の組み立て状態を説明するための一部を切断した吊り下げパッケージを図２（Ａ）乃至図（Ｄ）に示す。
【００２４】
上述の様に略箱型に形成された吊り下げパッケージ５０の開口部７に図２（Ａ）の様に商品となる例えば、電子部品を挿入固定させた後に左右上係止片６５、６６を開口部７側にミシン目を境に折り曲げる。この場合、後面板５０Ｂに形成した下側天板５６と吊り下げ片５７および前面板５０Ｆに形成した上側天板６２は開かれた状態にある。
【００２５】
次に、前面板５０Ｆに形成した上側天板６２は開かれた状態にしたまま、下側天板５６と吊り下げ片５７を吊り下げパッケージ５０の開口部７側に図２（Ｂ）に示す様に後面板５０Ｂと第１の半体５６Ａとの間のミシン目を開口部７側に折り曲げると共に第２の吊り下げ部５７Ｂと第１の吊り下げ部５７Ａ間の折り曲げ線５９を山折となし、山折された第２の半体５６Ｂの折り込み部５８を前面板５０Ｆの上縁に対抗させた状態で係止させる。
【００２６】
更に、前面板５０Ｆと上側天板６２との間にあるミシン目を開口部７側に折り曲げて上側天板６２の中央位置に穿設された切り込み孔６７内に第１および第２の吊り下げ部５７Ａ、５７Ｂよりなる吊り下げ片５７を挿入することで図２（Ｃ）に示す様に下側天板５６上に上側天板６２を覆う様になされる。
【００２７】
次に、上側天板６２の上辺に突設形成した折り込み片６３を後面板５０Ｂと第１の半体５６Ａ間にある切溝６４内に挿入する。更に、上側天板６２の左右に形成した左右フラップ２Ｌ、２Ｒの左右側舌片状部３Ｌ、３Ｒの先端に形成された左右側挿入は片４Ｌ、４Ｒの半円部を左右側板５０Ｌ、５０Ｒに形成した切溝５Ｌ、５Ｒ内に挿入することで図１および図２（Ｄ）に示す様な吊り下げパッケージが組み立てられる。
【００２８】
上述の説明では、上側天板６２と一体に舌片状の折り込み片６７を形成したが、図３のＣ部拡大図に示すような後面係止用の後面フラップ８とすることで上部天板６２と後面板５０Ｂ間に生ずる空隙Ｇを無くすことができる。すなはち、上側天板６２と一体にＣ部拡大図に示す様に略Ｔ字状の後面フラップ８を形成し、後面板５０Ｂに破線で示す様な切溝１１を形成して、この切溝１１内に後面フラップ８の後面挿入片９を挿入するようにしても良い。さらに、上側天板６２の上辺にミシン目を形成し後面フラップを形成するようにしても良い。勿論、後面フラップ８の形状は前記した、左右フラップと同一形状であっても良く、切溝５Ｌ、５Ｒ、１１に係止可能な形状であれば良い。
【００２９】
従来の上側天板では、図５に示す様に左右が切り放しになされた剛性のないＰＰの様な合成樹脂のため、この切り放し部分の持ち上がりが大きく図４で説明した様にカール変形して空隙Ｇを生ずるが、本発明によれば、図１および図２（Ｄ）の様に左右フラップ２Ｌ、２Ｒによって、上側天板６２と連接形成され、左右縁７１Ｌ、７１Ｒからなる罫線（ミシン目）をつけることで、上側天板の持ち上がり小さく抑えることができる。
【００３０】
また、左右側板５０Ｌ、５０Ｒに形成した切溝５Ｌ、５Ｒ内に左右フラップ２Ｌ、２Ｒに設けた左右側挿入片４Ｌ、４Ｒを挿入することで上側天板６２が下側天板５６の持ち上がりを抑えて天板が開くのを防止可能となる。さらに、後面フラップ８を用いることで上側天板６２の後面側の持ち上がりも小さく抑えることができる。
【００３１】
なお、上述の説明では前後板に上下天板を一体形成し、左右側板に設けた切溝に上下天板のフラップに形成した挿入片を挿入したが、左右側板に上下天板を一体形成し、前後板に設けた切溝に上下天板のフラップに形成した挿入片を挿入する様にしてもよく、また吊り下げパッケージの形状は直方体状として説明したが立方体状としても良いことは明白である。
【産業上の利用可能性】
【００３２】
本発明は、前述しかつ図面に示した実施の形態に限定されるものではなく、その要旨を逸脱しない範囲内で種々の変形実施が可能である。例えば、本例では、内挿部品が見える様に透明なパッケージを吊り下げ展示販売するように成した透明な吊り下げ用パッケージについて説明したが、一般の小物を収納可能なボール紙や段ボール紙などを用いた箱型のパッケージに適用可能である。
【図面の簡単な説明】
【００３３】
【図１】本発明の吊り下げ用パッケージの一形態例を示す全体的な斜視図である。
【図２】本発明の吊り下げ用パッケージの組み立て状態を説明するための要部の斜視図である。
【図３】本発明の吊り下げ用パッケージの展開図である。
【図４】従来の吊り下げ用パッケージの全体的な斜視図である。
【図５】従来の吊り下げ用パッケージの展開図である。
【符号の説明】
【００３４】
１Ｌ、１Ｒ…ミシン目、２Ｌ、２Ｒ…左右フラップ、３Ｌ、３Ｒ…左右舌片状部、４Ｌ、４Ｒ…左右側挿入部、５Ｌ、５Ｒ…切溝、１０…吊り下げ用パッケージ、５０…吊り下げ用パッケージシート、５０Ｆ…前面板、５０Ｂ…後面板、５０Ｌ…左側板、５０Ｒ…右側板、５６…下側天板、５７…吊り下げ片、６２…上側天板、６３…折り込み片、６７…切り込み孔、７１…左右縁、
【図１】
2005153896.tif 000003
【図２】
2005153896.tif 000004
【図３】
2005153896.tif 000005
【図４】
2005153896.tif 000006
【図５】
2005153896.tif 000007